(57)【要約】【課題】  従来のシステムでは、コミック本のリサイクルをある程度促進する手段となりうるが、新刊賞味後１回リサイクル売買が行われるだけで実質的なリサイクル効率は低く、残存価値の多くは活かされない。【解決手段】  コミック本の販売・買取を管理するシステムにおいて、該コード票は、少なくともＦＣ店名称及びコミック本の個体を識別するデータを記録すると共にリサイクル回数を記入する記録欄を設け、個々のコミック本に表示する。【選択図】    図１
2007102408.tif 000002
【特許請求の範囲】
【請求項１】
各ＦＣ店に設置した端末コンピュータで、個々のコミック本に付されたコード票のデータ及び該コミック本の販売日及び買取日を、各端末コンピュータを統括するサーバに入力することにより、各コミック本の販売・買取を管理するシステムにおいて、該コード票は、少なくともＦＣ店名称及びコミック本の個体を識別するデータを記録すると共にリサイクル回数を記入する記録欄を設け、個々のコミック本に表示したことを特徴とするコミック本のリサイクル販売システム。
【請求項２】
リサイクル回数の記録欄は、販売回数に応じた販売価格を表示する請求項１記載のコミック本のリサイクル販売システム。
【請求項３】
買取価格は、販売日から買取日までの期間、目視鑑定によって決定する請求項１記載のコミック本のリサイクル販売システム。
【請求項４】
買取価格は、コミック本の市場価格を参酌する請求項１又は３記載のコミック本のリサイクル販売システム。
【発明の詳細な説明】
【技術分野】
【０００１】
本発明は、コミック本（漫画単行本）の販売、買取の循環を促進することを目的としたリサイクル販売システムに関する。
【背景技術】
【０００２】
従来書籍類の小売は新品の本を扱ういわゆる書店と、古書、中古書を扱う古本店あるいは新古書店が異なる分野として住み分けていた。このうち新古書店と言われる業態が驚異的発展をとげており、その仕組みが本発明に比較的近い位置にある。これらの業態では、書店で購入した本を消費者が読み終えて処分するとき、リサイクルで引き取ってもらう方法である。特に雑誌以外の単行本について行われている。
【０００３】
特許文献１に示す販売買い取り管理システムでは、例えば、書店で５００円で購入した新刊のコミック本の場合、新古書店では、定価の１／３で買入れ、定価の２／３で再販される。このシステムでは、新刊購入者、新古書店、リサイクル購入者の三者はそれぞれ定価の１／３づつ得することになる。
【特許文献１】特開２００２−４９８１０
【発明の開示】
【発明が解決しようとする課題】
【０００４】
このように、従来のシステムでは、コミック本のリサイクルをある程度促進する手段となりうるが、新刊賞味後１回リサイクル売買が行われるだけであるから実質的なリサイクル効率は低く、残存価値の多くは活かされていない。６６％でリサイクル販売されたその中には多くの価値を残したままで、その後の流れはシステム化されていないのが現状である。しかも、新古書店にとっての１／３は、すなわち（０．３３）÷（０．６６）＝５０％の粗利益率となるが、このシステムでは客にとっての高率買取は全体の中のほんの一部について存在する最高査定の場合のみが開示されているに過ぎない。それ以外の大多数は新古書店側にとってそれ以上の高い粗利益率を得るための手段でしかなく、極めて需要の多いコミック本を迅速に流通させることやコミック本におけるリサイクル市場を活発化させるというリサイクルの本来の目的から著しく逸脱している。
【０００５】
コミック本は、複数の漫画を連載しているコミック誌の中から人気のあるものだけを単行本化したものであり、続き物として定期的に出版される。それ故、コミック本の場合は一気に読み終えてしまうと同時にほとんど読み返さないという特質があり、本としての寿命が著しく短く瞬時に不要物化してしまう。特に、コミック本は電車の中、食事中などあらゆる場所や時間でも読み進めることができるし、中断や再開も随意であり、ＤＶＤやビデオテープなどと異なって使用期間がより短縮する要因となっている。
【０００６】
しかも、コミック本の一タイトルの出版間隔は約１ヶ月であるため、次々と別のコミック本を購入することが多く、使用期間が短く陳腐化することなく残存価値を多く残したまま、膨大な数のコミック本が不要物化してしまっているのが現状であった。
【課題を解決するための手段】
【０００７】
そこで本発明者は上記問題に鑑み鋭意研究の結果、本発明を成し得たものであり、その特徴とするところは、各ＦＣ店に設置した端末コンピュータで、個々のコミック本に付されたコード票のデータ及び該コミック本の販売日及び買取日を、各端末コンピュータを統括するサーバに入力することにより、各コミック本の販売・買取を管理するシステムにおいて、該コード票は、少なくともＦＣ店名称及びコミック本の個体を識別するデータを記録すると共にリサイクル回数を記入する記録欄を設け、個々のコミック本に表示したことにある。
【０００８】
ここで本明細書中でいうコード票とは、個々のコミック本に表示することにより、記載したデータで該コミック本を特定し、サーバに蓄積したデータによって管理する識別票をいう。本発明においては、このコード票には少なくとも新刊のコミック本を初期に取り扱ったＦＣ（ｆｒａｎｃｈｉｓｅ）店の名称、該コミック本の個体識別データを記録すると共に、リサイクル回数を記入する記録欄を設ける。コード票は、コミック本に貼付や印刷によって表示する。コード票には、バーコードなどでデータを記録しておき、これをバーコードリーダで読み取ってＦＣ店の本部などに設置したサーバのデータベースと照合する。
【０００９】
先ず、コミック本の新刊を新刊書として正規の定価で販売する。このコミック本をリサイクル対象品とするため、ＦＣ店で上記コード票を裏表紙の裏面等に表示する。リサイクル対象品とするか否かは、新刊販売計画の中でヒットするであろうと思われるコミック本によって決定してもよく、コミック本の種類によって顧客との応談によって決定してもよい。新刊書をリサイクル対象品として販売する場合は、コード票に記録しているＦＣ店の名称、そのコミック本の個体識別データ、及び販売日を、ＦＣ店に設置している端末コンピュータでこれらを統括しているサーバに入力する。
【００１０】
このようにして、コミック本の新刊書をリサイクル対象品として購入した顧客は、各ＦＣ店がネットワークで統括されているため、いずれのＦＣ店でも買い取りを依頼することができる。そのＦＣ店では、買い取るコミック本に表示されたコード票のデータをＰＯＳシステムなどの端末リーダーで読み取ってサーバに入力し、その本の購入日や最後の購入価格などの情報を取得する。販売日からの経過日数や本の外装などの目視鑑定を行って買い取り価格を決定する。買い取り価格は、例えば販売価格の６０％程度を最大にして、再販回数に応じて順次下げていく。再販価格もその回数に応じて下げていけば、少なくとも１０回以上リサイクルさせることが可能となり、リサイクル本来の目的が極めて容易に達成することができる。特に、本発明ではコード票に設けた記録欄にリサイクル回数を記入して明示することにより、リサイクルシステムの継続がより確実に行える。リサイクル回数の記入は、ＦＣ店のゴム印や係員が手書きしてサインするなど、できるだけ改竄しにくい方法で記入する。リサイクル回数に代えて次の再販価格を記入してもよい。
【発明の効果】
【００１１】
本発明に係るリサイクル販売システムは、各ＦＣ店の端末コンピュータの入力によりコミック本の販売・買取をサーバで統括して管理するシステムにおいて、個々のコミック本にコード票を表示すると共に、該コード票には販売回数を記入する記録欄を設けたことにより、そのコミック本のリサイクル回数を明瞭にすることができる。リサイクル回数が明瞭になれば、必然的に再販価格も漸次低く設定されることとなり、リサイクル促進を確実に行うことができ、物品の残存価値を有効に利用できる効果がある。
【発明を実施するための最良の形態】
【００１２】
リサイクル対象品となる個々の商品にコード票を表示し、該コード票で各ＦＣ店の端末コンピュータにより販売日等をサーバで管理すると共に、該コード票にリサイクル回数の記録欄にリサイクル回数を記入する。
【実施例１】
【００１３】
図１は本発明に係るリサイクル販売システムにおけるフローチャートの一実施例を示すもので、コンビニエンスストア（以下、「コンビニ」という）でコミック本を新刊書で販売し、これを買い取ることによってリサイクルさせる過程を示す。
【００１４】
先ず、コンビニの各ＦＣ店でコミック本を販売目的で陳列する。本例では、新刊書を単に販売するか、リサイクル対象品とするかは、顧客の要望に応じて選択するシステムを採っている。新刊書をリサイクル対象品とする場合は、本の裏表紙などの所定の位置にコード票を貼付する。コード票には、取り扱うＦＣ店を示すバーコードが記載されている。そして、コード票にそのコミック本の個体を識別する番号を手書きで記入する。個体識別番号は、各ＦＣ店全体で共有できるように取り決めた番号であり、同一の本が複数存在する場合は、枝番を付けたり、第２の識別子などを付与して特定する。
【００１５】
コード票のデータをＦＣ店を統括するサーバに登録して管理する。サーバに登録するデータは、取り扱うＦＣ店の名称、コミック本の個体識別番号、販売日、販売価格などである。サーバへの登録が完了すれば、そのコミック本を取り敢えず新刊書の正規の値段で販売する。リサイクル対象品として販売しても、サイクルさせるかどうかは顧客の任意である。
【００１６】
顧客が後日そのコミック本の買い取りを依頼してきたときは、コード票からサーバに登録したデータを呼び出し、販売日から買取日までの日数やコミック本の汚れ具合などを目視して、買取価格を決定する。「買取り査定基準」のような明確な数字を店内に表示することで、不透明な部分を払拭することができる。例えば、「シミ（汚れ）があれば１ランク下がり、規定日を４日越えるとさらに２ランク下がる。」などの表示であり、表−１のようにリサイクル回数、時間的鮮度、汚れのランクに応じた買取価格を明示する。汚れや損傷がなければ、通常、リサイクル１回目であれば定価の約６割程度の値段で買い取る。販売日から買取日までの日数に応じてランクを設けてもよく、例えば３日以内であれば６割、１泊だと７割にするなど優待期間を設定すれば、新刊書としての新鮮さを失わせることなくリサイクル効率が高くなる。また、コミック本の人気の度合いによって買取価格を高くするなど、市場価格を参酌する手段を併用してもよい。
【表−１】
2007102408.tif 000003
【００１７】
コミック本の買い取りは、ＦＣ店加盟店であればどこでも可能であり、サーバにアクセスして買取価格が決定され、顧客の利便性を図ることができる。買い取った後は、リサイクル回数、買取日、買取価格、目視による汚れのランクをサーバーに登録する。そして、リサイクル品として店内に陳列し、新刊価格より安い値段で再販する。このようにサーバで管理することにより、所望のコミック本の追跡調査も可能となり、各ＦＣ店に配送するトラック便で所定のＦＣ店に送り届けることもできる。リサイクルの終了は、例えば、予定のリサイクル回数に至ったことをコンピュータが示したとき。本が基準を超えた傷みで回帰し、買い取りを拒否したとき。顧客がリサイクルを中止したとき（規定の日数までに買取依頼がなかったとき）などである。
【実施例２】
【００１８】
図２は、本発明に係るリサイクル販売システムにおいて用いるコード票１の一実施例であり、コンビニ名、ＦＣ店名、ＦＣ店名を示すバーコード２、コミック本の個体識別番号記入欄３、リサイクル回数記入欄４を設けている。このように、本発明においてはコミック本に付するコード票にリサイクル回数及び本例のように再販価格を明示するシステムとしたことにより、顧客が安心して購入することができる。コード票１としては、図３のように汚れや傷などによるコミック本のランクを示す表示欄を設けてもよい。これらリサイクル回数やランクを手書きで記入するコード票１をコミック本に表示することで、店側にとっては表示を手軽にすることができ、顧客側にはコミック本の現在の状態が一目瞭然となる。また、仮にＦＣ店でリサイクル回数や販売価格の記入漏れがあったとしても、これらをサーバで管理し、再販価格の設定をほぼ一定の割合で低くなるようにしておけば、記入漏れも容易に発見することができる。このため、顧客にとっても必ずシステム上の決められた価格で購入することができ、信用を失うことによるシステムの破綻を防止することができる。
【００１９】
本発明に係るリサイクル販売システムでは、例えば表−２に示すようにリサイクルする毎に再販価格を漸次低く設定しても粗利益５０％が実現でき、新刊書籍小売業の粗利益（一般的に２１〜２２％）より遙かに高い利益率が得られる。しかも、本発明はコード票１によって個々のコミック本をコンピュータで単品管理するシステムであり、作家別、タイトル別、リサイクル詳細別などのデータが得ることが可能となる。これらのことから、粗利益率が高くなることと共に、印税に代わる何らかの還元原資を確保することができ、古本市場の巨大化に伴う印税収入の減少に歯止めをかけることができる。
【表−２】
2007102408.tif 000004
【図面の簡単な説明】
【００２０】
【図１】本発明に係るにリサイクル販売システムの一例を示すフローチャートである。（実施例１）
【図２】本発明に係るリサイクル販売システムに用いるコード票の一例である。（実施例２）
【図３】本発明に係るリサイクル販売システムに用いるコード票の他の例である。
【符号の説明】
【００２１】
１  コード票
２  ＦＣ店名を示すバーコード
３  コミック本の個体識別番号記入欄
４  リサイクル回数記入欄
【図１】
2007102408.tif 000005
【図２】
2007102408.tif 000006
【図３】
2007102408.tif 000007